(57)【要約】【課題】  接触抵抗を低減するべく合理的に構成されたコネクタ装置を提供すること。【解決手段】  電極１１０，１２０同士を接続するコネクタ装置において、電極同士を加圧して圧着する電極圧着手段４００を備え、電極の少なくとも一方は、支持体１２１の表面に柔軟な導電部材１２２を設けてなるものとし、電極同士が、柔軟な導電部材を挟み込むとともにこれを変形しつつ圧着されることにより、電極同士の接触抵抗が低減されるようにした。また、電極圧着手段は、各電極をそれぞれ保持するハウジング３１０，３２０を嵌合した状態で電極同士を加圧するものとした。【選択図】図２
2008262850.tif 000002
【特許請求の範囲】
【請求項１】
電極同士を接続するコネクタ装置において、
前記電極同士を加圧して圧着する電極圧着手段を備え、
前記電極の少なくとも一方は、支持体の表面に柔軟な導電部材を設けてなるものとし、
前記電極同士が、前記柔軟な導電部材を挟み込むとともにこれを変形しつつ圧着されるようにしたことを特徴とするコネクタ装置。
【請求項２】
前記請求項１記載のコネクタ装置において、
互いに嵌合するとともに前記電極をそれぞれ保持するハウジングを備え、
前記電極圧着手段は、前記ハウジングを嵌合した状態で前記電極同士を加圧してそれらを圧着するものであることを特徴とするコネクタ装置。
【請求項３】
前記請求項１又は２記載のコネクタ装置において、
前記電極圧着手段は、弾性部材と、前記弾性部材に連係したリンク部とを備え、
前記弾性部材は、前記リンク部を操作して変形するものとし、
前記電極同士は、前記変形した弾性部材の弾性力により圧着されるようにしたことを特徴とするコネクタ装置。
【請求項４】
前記請求項３記載のコネクタ装置において、
前記リンク部としては、一方の前記電極に対して移動可能に設けられた押さえ金具を備え、
前記電極同士は、前記押さえ金具を移動することにより圧着されるようにしたことを特徴とするコネクタ装置。
【請求項５】
前記請求項１又は２記載のコネクタ装置において、
前記電極圧着手段は、雄ねじ部品と、前記雄ねじ部品を螺合する雌ねじ部とを備え、
前記電極同士は、前記雄ねじ部品の軸力により圧着されるようにしたことを特徴とするコネクタ装置。
【請求項６】
前記請求項１乃至５のいずれか記載のコネクタ装置において、
前記柔軟な導電部材は、線材を編んでなる編み線であることを特徴とするコネクタ装置。
【請求項７】
前記請求項６記載のコネクタ装置において、
前記編み線は、前記電極に電流をもたらすケーブルの線材を延長してなるものであることを特徴とするコネクタ装置。
【請求項８】
前記請求項１乃至５のいずれか記載のコネクタ装置において、
前記柔軟な導電部材は、導電性の樹脂体であることを特徴とするコネクタ装置。
【発明の詳細な説明】
【技術分野】
【０００１】
本発明は、電極同士を接続するコネクタ装置に関する。
【背景技術】
【０００２】
バッテリ充電用の接続器として用いるコネクタ装置としては、特許文献１乃至５にも開示されているように、電源側の電極を保持するハウジングを銃タイプとし、その銃口部に相当する部位をバッテリ側の電極を保持するハウジングと嵌合するものが知られている。
【０００３】
電極同士は、ハウジングを嵌合する際に、その嵌合方向に摺動させるのが一般的である。電極の少なくとも一方が弾性変形して、又は弾性体を変形しつつ移動して、電極同士が圧着される構成となっている。
【０００４】
或は、特許文献６及び７のように、少なくとも一方の電極をリンク等にて移動させる構成のコネクタ装置も知られている。このような構成によると、電極同士は、摺動させずとも圧着させることが可能である。
【０００５】
また、特許文献８には、柔軟な導電部材をコネクタ装置の電極として利用する構成が開示されている。特許文献９には、線材を編んでなる編み線を利用した端子が開示されている。
【特許文献１】特開平６−２９０８３１号公報
【特許文献２】特開平６−３０２３５５号公報
【特許文献３】特開平７−８５９２６号公報
【特許文献４】特開平１０−３１２８５０号公報
【特許文献５】特開２０００−１１５９１５号公報
【特許文献６】特開２００３−１１５２９１号公報
【特許文献７】特開２００５−３２４６０号公報
【特許文献８】特開２００４−１６４９４７号公報
【特許文献９】特開２００２−２２２６８５号公報
【発明の開示】
【発明が解決しようとする課題】
【０００６】
さて、近年においては、各種電気自動車の普及が広がりつつあり、バッテリ充電用の接続器として用いるコネクタ装置についても、より一層の性能向上が望まれている。特に、この種のコネクタ装置については、高電流であるが故に、発熱量が非常に大きくなるという問題があり、それを改善すべく接触抵抗を低減するための工夫が必要とされている。
【０００７】
本発明は、かかる事情に鑑みてなされたものであり、その目的は、接触抵抗を低減することができ、また、小型軽量化を図ることができる等、より合理的に構成されたコネクタ装置を提供することである。
【課題を解決するための手段】
【０００８】
本願第１請求項に記載した発明は、電極同士を接続するコネクタ装置において、前記電極同士を加圧して圧着する電極圧着手段を備え、前記電極の少なくとも一方は、支持体の表面に柔軟な導電部材を設けてなるものとし、前記電極同士が、前記柔軟な導電部材を挟み込むとともにこれを変形しつつ圧着されるようにした構成のコネクタ装置である。
【０００９】
本願第２請求項に記載した発明は、請求項１において、互いに嵌合するとともに前記電極をそれぞれ保持するハウジングを備え、前記電極圧着手段は、前記ハウジングを嵌合した状態で前記電極同士を加圧してそれらを圧着する構成のコネクタ装置である。
【００１０】
本願第３請求項に記載した発明は、請求項１又は２において、前記電極圧着手段は、弾性部材と、前記弾性部材に連係したリンク部とを備え、前記弾性部材は、前記リンク部を操作して変形するものとし、前記電極同士は、前記変形した弾性部材の弾性力により圧着されるようにした構成のコネクタ装置である。
【００１１】
本願第４請求項に記載した発明は、請求項３において、前記リンク部としては、一方の前記電極に対して移動可能に設けられた押さえ金具を備え、前記電極同士は、前記押さえ金具を移動することにより圧着されるようにした構成のコネクタ装置である。
【００１２】
本願第５請求項に記載した発明は、請求項１又は２において、前記電極圧着手段は、雄ねじ部品と、前記雄ねじ部品を螺合する雌ねじ部とを備え、前記電極同士は、前記雄ねじ部品の軸力により圧着されるようにした構成のコネクタ装置である。
【００１３】
本願第６請求項に記載した発明は、請求項１乃至５のいずれかにおいて、前記柔軟な導電部材は、線材を編んでなる編み線である構成のコネクタ装置である。
【００１４】
本願第７請求項に記載した発明は、請求項６において、前記編み線は、前記電極に電流をもたらすケーブルの線材を延長してなるものである構成のコネクタ装置である。
【００１５】
本願第８請求項に記載した発明は、請求項１乃至５のいずれかにおいて、前記柔軟な導電部材は、導電性の樹脂体である構成のコネクタ装置である。
【発明の効果】
【００１６】
本発明によれば、電極の接触抵抗が確実に低減される。以下に、その考え方を説明する。
【００１７】
まず、既存のコネクタ装置については、電極同士を圧着する際にそれらを摺動させる摺動タイプと、摺動させない非摺動タイプとに分類することができる。摺動タイプのものは、電極の表面が磨耗して酸化被膜が除去されるので、その結果として接触抵抗を抑えることが可能である。しかし、磨耗が伴うために耐久性には問題がある。また、高電流に対応すべく接触面圧を高く設定すると、その接続作業は非常に力を要するものとなり、不便である。これに対し、非摺動タイプのものは、耐久性には優れるものの、酸化被膜が除去されるということはない。電極の表面における酸化被膜は、ある程度の厚さに達すると成長がほとんど止まるが、電極同士の接触面圧は、接触抵抗を抑えるべく、その酸化被膜の厚さに応じて設定する必要がある。つまり、電極同士の接触面圧は、比較的高いものとなる。
【００１８】
本願発明者は、こうした現状における問題点を踏まえつつ鋭意検討を重ね、柔軟な導電部材を利用してなる新たな構成を発案した。本発明は、柔軟な導電部材を介在した電極の接触抵抗が、電極同士の押し付け力に応じて顕著に増減することに着眼してなるものである。
【００１９】
電極同士の接触抵抗による発熱量は、接触抵抗と電流の二乗との積に比例する。つまり、バッテリ充電用の接続器のように電流値が大きいものについては、発熱量を抑えるべく接触抵抗を低減することが必須の課題となる。接触抵抗は、電極同士の接触面圧を高く設定することにより、ある程度抑えることが可能である。その根本的な原理は、電極同士の接触面積に関係している。各電極の表面には微細な凹凸構造があり、接触面圧が高いと、それらが密着される訳である。ここで、柔軟な導電部材によると、これが適宜変形しつつ圧着されることにより、比較的小さい押し付け力にて表面の微細構造における均等な加圧が可能となる。その結果、接触面圧による接触抵抗の低下が顕著に現われる。
【００２０】
図１２のグラフは、本願発明者による実験データを示している。具体的には、一定の電流値における接触抵抗と接触面圧との関係を、（ａ）平板電極と平板電極とを接触させた場合と、（ｂ）一方の平板電極に柔軟な導電部材を設けた場合と、（ｃ）双方の平板電極に柔軟な導電部材を設けた場合とについて、それぞれ示している。当該実験においては、銅板を平板電極として採用した。また、柔軟な導電部材としては、銅線を扁平状に編んでなる編み線を採用した。
【００２１】
グラフからも明らかなように、電極の少なくとも一方の表面に柔軟な導電部材を設けて、電極同士が柔軟な導電部材を挟み込むとともにこれを変形しつつ圧着されるように構成すれば、電極同士の接触抵抗が確実に低減される。
【００２２】
接触抵抗は、接触面圧を高く設定すると、より低下する。電極に柔軟な導電部材を設けるという構成は、接触抵抗による発熱量が電流の二乗に比例して増加することを考えると、電流値の高いコネクタ装置においてより有効であるといえる。
【００２３】
このようにして、本願第１請求項に記載した発明は、電極同士を接続するコネクタ装置において、前記電極同士を加圧して圧着する電極圧着手段を備え、前記電極の少なくとも一方は、支持体の表面に柔軟な導電部材を設けてなるものとし、前記電極同士が、前記柔軟な導電部材を挟み込むとともにこれを変形しつつ圧着されるようにしたので、接触面圧による接触抵抗の低下を顕著にもたらすことのできるコネクタ装置が得られる。
【００２４】
本願第２請求項に記載した発明は、請求項１において、互いに嵌合するとともに前記電極をそれぞれ保持するハウジングを備え、前記電極圧着手段は、前記ハウジングを嵌合した状態で前記電極同士を加圧してそれらを圧着するので、電極がハウジングにより隠蔽され得ることとなり、安全性が担保されるコネクタ装置を得ることができる。
【００２５】
本願第３請求項に記載した発明は、請求項１又は２において、前記電極圧着手段は、弾性部材と、前記弾性部材に連係したリンク部とを備え、前記弾性部材は、前記リンク部を操作して変形するものとし、前記電極同士は、前記変形した弾性部材の弾性力により圧着されるようにしたので、リンク部の存在により、電極圧着の前後における電極着脱方向を異ならしめることができ、これにより電極を摺接することなく確実に圧着することができるものである。
【００２６】
本願第４請求項に記載した発明は、請求項３において、前記リンク部としては、一方の前記電極に対して移動可能に設けられた押さえ金具を備え、前記電極同士は、前記押さえ金具を移動することにより圧着されるようにしたので、押さえ金具の移動により電極同士を一気に圧着することができる。
【００２７】
本願第５請求項に記載した発明は、請求項１又は２において、前記電極圧着手段は、雄ねじ部品と、前記雄ねじ部品を螺合する雌ねじ部とを備え、前記電極同士は、前記雄ねじ部品の軸力により圧着することもできるものである。
【００２８】
本願第６請求項に記載した発明は、請求項１乃至５のいずれかにおいて、前記柔軟な導電部材は、線材を編んでなる編み線である。柔軟な導電部材たる編み線によると、これが適宜変形しつつ圧着されることにより、比較的小さい押し付け力にて接触抵抗の低下が顕著に現われる。
【００２９】
本願第７請求項に記載した発明は、請求項６において、前記編み線は、前記電極に電流をもたらすケーブルの線材を延長してなるものであり、また、本願第８請求項に記載した発明は、請求項１乃至５のいずれかにおいて、前記柔軟な導電部材は、導電性の樹脂体であり、このように、本発明において、柔軟な導電部材として適宜のものを用いることができるものである。
【００３０】
このように、本発明によれば、より合理的に構成されたコネクタ装置を得ることができる。
【発明を実施するための最良の形態】
【００３１】
以下に、本発明の第1実施例を図１乃至図４に基づいて説明する。これらの図に示す本例のコネクタ装置１は、自動車のバッテリ充電用の接続器として用いるものである。
【００３２】
このコネクタ装置１は、バッテリ側のケーブル２１０の先端に設けられた第１電極１１０と、電源側のケーブル２２０の先端に設けられた第２電極１２０とを圧着接続するものであり、互いに嵌合するとともに各電極１１０，１２０をそれぞれ保持する一対の第１ハウジング３１０及び第２ハウジング３２０と、各ハウジング３１０，３２０を嵌合した状態でハウジング３１０，３２０の嵌合方向とは異なる方向に電極１１０，１２０同士を加圧してそれらを圧着する電極圧着手段４００とを備えている。
【００３３】
第２電極１２０は、所要の剛性を有するプレート状の支持体１２１の表面に有形の柔軟な導電部材１２２を設けてなるものである。
【００３４】
本例の電極圧着手段４００は、弾性部材４１０と、弾性部材４１０に連係したリンク部４２０とを備えている。弾性部材４１０は、リンク部４２０を操作して変形するものとなっている。
【００３５】
電極１１０，１２０同士は、変形した弾性部材４１０の弾性力により圧着される。本例の弾性部材４１０は、第２電極１２０に当接した板バネである。
【００３６】
リンク部４２０は、第２ハウジング３２０に軸支されるとともに第２電極１２０との間に弾性部材４１０を介在するカム体４２１と、カム体４２１と連係したレバー４２２とを備えている。
【００３７】
レバー４２２の端部は、第２ハウジング３２０の外部に露出されており、このレバー４２２の端部を操作するとカム体４２１が移動する。すると、第２電極１２０が弾性部材４１０に押されて若干移動して第１電極１１０と当接し、更に第１電極１１０と第２電極１２０が加圧される構成となっている。第１電極１１０は、ハウジング３１０，３２０の嵌合に伴い第２電極１２０と第２ハウジング３２０との間に挿入され、電極圧着手段４００によってそれらの間に挟まれた状態となる。
【００３８】
電極１１０，１２０同士は、第２電極１２０に設けられた柔軟な導電部材１２２を挟み込むとともにこれを変形しつつ圧着される。その結果、電極１１０，１２０同士の接触抵抗が低減される。
【００３９】
本例の場合、柔軟な導電部材１２２としては、断面直径０．３ｍｍ以下の線材を扁平状に編んでなる編み線を採用している。特に、この編み線は、第２電極１２０に電流をもたらす電源側のケーブル２２０の多芯線材を延長し、それを編んでなるものである。
【００４０】
第２電極１２０は、かかる編み線をプレート状の支持体１２１にリベット等で固定してなるものである。支持体１２１は、絶縁性の部材である。或は、外部との絶縁を確保することを条件に、導電性の部材を採用することも可能である。第１電極１１０は、所要の剛性を有する平板電極である。
【００４１】
このような構成によると、電極１１０，１２０同士の接触抵抗を低減するのみならず、ケーブル２２０と電極１２０との接触抵抗をも解消することができる。すなわち、ケーブル２２０の線材を導電性の支持体１２１に接続したうえで、支持体１２１に柔軟な導電部材１２２を別途に設ける場合は、ケーブル２２０の線材と支持体１２１との電気的接続、並びに、支持体１２１と柔軟な導電部材１２２との電気的接続がなされるため、それらの間において接触抵抗が生じることとなるが、本例では、そのような不都合を回避することができる。
【００４２】
尚、ケーブルとしては、銅板を絶縁体で被覆してなる単芯のものもあるが、そのようなケーブルを用いる場合は、銅板を延出して支持体とし、これに柔軟な導電部材を設けるように構成することも可能である。
【００４３】
また、電極１１０，１２０同士の間に流れる電流は、本例の場合、４０Ａ以上であるとともに、電極１１０，１２０同士の圧着時における接触面圧は、２．０ｋｇｆ／ｃｍ２以上となっている。接触面圧について、より望ましくは、５．０ｋｇｆ／ｃｍ２以上である。接触抵抗は、０．６ｍΩ、或はそれ以下となっている。更に、電極１１０，１２０同士の接触抵抗による発熱量は、約８０℃であり、ハウジング３１０，３２０の耐熱温度は、１２０℃となっている。これらの数値は、コネクタ装置１をバッテリ充電用の接続器として用いるべく、実用的な値となるように設定されている。例えば、接触抵抗による発熱量が電流の二乗に比例して増加することを考えると、電極１１０，１２０における温度上昇の解析値は、電流値が１００Ａのとき、その接触抵抗が０．６ｍΩであると、約８０℃に達する。すなわち、ハウジング３１０，３２０等の周辺部材の耐熱性を考慮すると、接触抵抗は０．６ｍΩ以下であることが望ましい。実験値から推論すると、電流が１００Ａ以上の場合における接触面圧は、２．０ｋｇｆ／ｃｍ２以上、望ましくは５．０ｋｇｆ／ｃｍ２以上とするのが、バッテリ充電用の接続器として実用的な値であるといえる。すなわち、これらの数値は、本願発明者の実験等から考察し得る技術的思想といえる。但し、本発明は、これらの各値に限定されるものでない。
【００４４】
以上説明したように、本例のコネクタ装置は、接触抵抗を小さくするという点で極めて合理的に構成されたものである。比較的小さい押し付け力にて接触抵抗を抑えることができるので、着脱における操作性が向上されるという利点もある。
【００４５】
尚、本例における各部の構成は、特許請求の範囲に記載した技術的範囲において適宜に設計変更が可能であり、図示例で説明したものに限定されないことは勿論である。
【００４６】
例えば、バッテリ側と電源側の構成は、逆転させてもよい。また、第２ハウジングを銃タイプとし、その銃口部に相当する部位を第１ハウジングと嵌合するように構成することも可能である。
【００４７】
更に、柔軟な導電部材としては、本例では編み線を採用したが、導電性の樹脂体（導電ゴム等）を採用することも可能である。この場合も同様の原理により、接触抵抗を低減することが可能である。
【００４８】
また、柔軟な導電部材を挟み込むとともにこれを変形しつつ電極同士を圧着するという本例の構成は、複数対の電極を一度に接続するコネクタ装置に応用することも可能である。
【００４９】
次に、本発明の第２実施例を図５に基づいて説明する。
【００５０】
本例のコネクタ装置１は、第１電極１１０及び第２電極１２０にそれぞれ柔軟な導電部材１１２，１２２を設けてなるものである。すなわち、双方の電極１１０，１２０は、それぞれ支持体１１１，１２１の表面に柔軟な導電部材１１２，１２２を設けてなるものである。
【００５１】
電極１１０，１２０同士は、柔軟な導電部材１１２，１２２を挟み込むように接触される。
【００５２】
尚、その他の基本構成は前述した実施例と同様である。
【００５３】
このように、双方の電極にそれぞれ柔軟な導電部材を設けてもよい。或は、第１電極のみに柔軟な導電部材を設けることも可能である。
【００５４】
次に、本発明の第３実施例を図６乃至図８に基づいて説明する。
【００５５】
本例の電極圧着手段４００は、リンク部として第１電極１１０に対して移動可能に設けられるとともに第２電極１１０を支持する押さえ金具４３０を備え、電極１１０，１２０同士は、押さえ金具４３０を移動することにより圧着される構成となっている。
【００５６】
第２電極１２０は、これを保持するハウジングを設けずに剥き出しの状態とし、第１電極１１０を保持する第１ハウジング３１０に挿入することにより、第１ハウジング３１０の内部に設けられた押さえ金具４３０に支持される構成となっている。
【００５７】
この押さえ金具３４０には、レバー４３１が連結されている。レバー４３１の端部は、第１ハウジング３１０の外部に露出されており、このレバー４３１の端部を操作すると押さえ金具４３０が移動する。すると、第２電極１２０が移動して第１電極１１０と当接する。
【００５８】
押さえ金具４３０とレバー４３１との間には、スプリング状の弾性部材４３２が設けられており、第１ハウジング３１０及びレバー４３１の要所には、互いに係合する係合部３１０ａ，４３１ａが設けられている。
【００５９】
レバー４３１を操作して係合部３１０ａ，４３１ａを係合すると、弾性部材４３２がねじり変形されるとともに、第１電極１１０と第２電極１２０が当接する。
【００６０】
電極１１０，１２０同士は、変形した弾性部材４３２の弾性力により圧着される。
【００６１】
尚、その他の基本構成は前述した実施例と同様である。このように、電極を押さえ金具に支持して移動するように構成してもよい。
【００６２】
次に、本発明の第４実施例を図９乃至１１に基づいて説明する。
【００６３】
本例の電極圧着手段４００は、雄ねじ部品４４０と、この雄ねじ部品４４０を螺合する雌ねじ部３１１とを備え、電極１１０，１２０同士は、雄ねじ部品４４０の軸力により圧着される構成となっている。
【００６４】
図示の雄ねじ部品４４０は、つまみネジであり、工具を用いずとも螺合することが可能となっている。
【００６５】
第１電極１１０は、第１ハウジング３１０の一方の面に内接されており、雌ねじ部３１１は、第１ハウジング３１０の他方の面に設けられている。
【００６６】
また、第２ハウジング３２０の要所には、雄ねじ部品４４０を挿通する通孔３２１が設けられている。
【００６７】
第２電極１１０は、ハウジング３１０，３２０の嵌合に伴い第１電極１２０と第１ハウジング３１０との間に挿入され、雄ねじ部品４４０を螺合することにより、第１電極１１０と雄ねじ部品４４０との間に挟まれた状態となる。
【００６８】
電極１１０，１２０同士の接触面圧は、雄ねじ部品４４０の締付け具合により、調整することが可能である。
【００６９】
尚、その他の基本構成は前述した実施例と同様である。
【００７０】
このように、電極同士が雄ねじ部品の軸力により圧着されるように構成してもよい。雄ねじ部品の数は、図示の例では１本としたが、電極の大きさに応じて複数本としてもよい。また、電極と雄ねじ部品との間には、適宜に補強部材や絶縁部材を配置するように構成してもよい。
【００７１】
以上説明した本発明のコネクタ装置において、次のような構成とすることもできる。
【００７２】
即ち、（１）用いるケーブルは、単芯、多芯、編芯のいずれでもよく、（２）ケーブルに、別途、編線を用いて電極を構成し、（３）ケーブルが編芯の場合はその先端部を電極として用い、（４）ケーブルの芯線が銅板である場合はその銅板を圧着の支持体として用い、（５）ケーブルの芯線とは別に押え板を用意して圧着の支持体として用い、（６）また、双方の電極にこれらを組み合わせて用いる等、コネクタ装置の目的に伴って適宜選択することができるものである。
【産業上の利用可能性】
【００７３】
本発明のコネクタ装置は、電気自動車等におけるバッテリ充電用の接続器として好適に利用することが可能である。
【図面の簡単な説明】
【００７４】
【図１】本発明の第１実施例に係り、コネクタ装置を示す側面図である。
【図２】本発明の第１実施例に係り、コネクタ装置を示す側面断面図（電極が圧着されていない状態）である。
【図３】本発明の第１実施例に係り、コネクタ装置を示す側面断面図（電極が圧着された状態）である。
【図４】本発明の第１実施例に係り、コネクタ装置を示す側面断面図（ハウジングを分離した状態）である。
【図５】本発明の第２実施例に係り、コネクタ装置を示す側面断面図（電極が圧着されていない状態）である。
【図６】本発明の第３実施例に係り、コネクタ装置を示す側面断面図（電極が圧着されていない状態）である。
【図７】本発明の第３実施例に係り、コネクタ装置を示す側面断面図（電極が圧着された状態）である。
【図８】本発明の第３実施例に係り、コネクタ装置を示す側面断面図（押さえ金具と第２電極を分離した状態）である。
【図９】本発明の第４実施例に係り、コネクタ装置を示す側面断面図（電極が圧着されていない状態）である。
【図１０】本発明の第４実施例に係り、コネクタ装置を示す側面断面図（電極が圧着された状態）である。
【図１１】本発明の第４実施例に係り、コネクタ装置を示す側面断面図（ハウジングを分離した状態）である。
【図１２】本願発明者による実験データを示すグラフであり、接触抵抗−接触面圧特性グラフである。
【符号の説明】
【００７５】
１    コネクタ装置
１１０    第１電極
１１１    支持体
１１２    柔軟な導電部材
１２０    第２電極
１２１    支持体
１２２    柔軟な導電部材
２１０    バッテリ側のケーブル
２２０    電源側のケーブル
３１０    第１ハウジング
３１０ａ    係合部
３１１    雌ねじ部
３２０    第２ハウジング
３２１    通孔
４００    電極圧着手段
４１０    弾性部材
４２０    リンク部
４２１    カム体
４２２    レバー
４３０    押さえ金具
４３１    レバー
４３２    弾性部材
４３１ａ    係合部
４４０    雄ねじ部品
【図１】
2008262850.tif 000003
【図２】
2008262850.tif 000004
【図３】
2008262850.tif 000005
【図４】
2008262850.tif 000006
【図５】
2008262850.tif 000007
【図６】
2008262850.tif 000008
【図７】
2008262850.tif 000009
【図８】
2008262850.tif 000010
【図９】
2008262850.tif 000011
【図１０】
2008262850.tif 000012
【図１１】
2008262850.tif 000013
【図１２】
2008262850.tif 000014